(57)【要約】      （修正有）【課題】ペン先先端との密接部分のクリープ変形を抑えて、ペン先先端との適正な密接状態を維持し、ペン先からのインキ蒸発を確実に防止するペン先シール部材を提供する。【解決手段】ペン先シール部材１は、弾性材料からなり、筆記具のキャップ内に配置される。前記ペン先シール部材１は、ペン先先端が密接可能な凹状内面２３を有するカップ状部２と、前記カップ状部２の後端と一体に連設される筒状支持部３とを備える。カップ状部２が、頂壁２１と、該頂壁２１の中央部から後方に向かうに従って次第に薄肉に形成される周壁２２とを有する。頂壁２１の中央部の最大肉厚を１ｍｍよりも大きく設定する。さらに、頂壁２１外面を曲面状にし、頂壁２１外面の中央部の曲率半径ｒ１を頂壁２１外面の周辺部の曲率半径ｒ２よりも大きく設定する。【選択図】図１
0003147231.tif 000002
【実用新案登録請求の範囲】
【請求項１】
筆記具のキャップ内に配置される弾性材料からなるペン先シール部材であって、ペン先先端が密接可能な凹状内面を有するカップ状部と、前記カップ状部の後端と一体に連設される筒状支持部とを備え、前記カップ状部が、頂壁と、該頂壁の中央部から後方に向かうに従って次第に薄肉に形成される周壁とを有し、前記頂壁の中央部の最大肉厚を１ｍｍよりも大きく設定したことを特徴とするペン先シール部材。
【請求項２】
筆記具のキャップ内に配置される弾性材料からなるペン先シール部材であって、ペン先先端が密接可能な凹状内面を有するカップ状部と、前記カップ状部の後端と一体に連設される筒状支持部とを備え、前記カップ状部が、頂壁と、該頂壁の中央部から後方に向かうに従って次第に薄肉に形成される周壁とを有し、前記頂壁外面を曲面状にし、前記頂壁外面の中央部の曲率半径ｒ１を前記頂壁外面の周辺部の曲率半径ｒ２よりも大きく設定したことを特徴とするペン先シール部材。
【請求項３】
筆記具のキャップ内に配置される弾性材料からなるペン先シール部材であって、ペン先先端が密接可能な凹状内面を有するカップ状部と、前記カップ状部の後端と一体に連設される筒状支持部とを備え、前記カップ状部が、頂壁と、該頂壁の中央部から後方に向かうに従って次第に薄肉に形成される周壁とを有し、前記頂壁の中央部の最大肉厚を１ｍｍよりも大きく設定し、前記頂壁外面を曲面状にし、前記頂壁外面の中央部の曲率半径ｒ１を前記頂壁外面の周辺部の曲率半径ｒ２よりも大きく設定したことを特徴とするペン先シール部材。
【考案の詳細な説明】
【技術分野】
【０００１】
本考案は、ペン先シール部材に関する。詳細には、ボールペンチップ等のペン先先端と密接して該ペン先の乾燥を防止するためにキャップ内に配置されるペン先シール部材に関する。
【背景技術】
【０００２】
従来、ペン先シール部材として、球状弾性体よりなるもの（例えば特許文献１）や、カップ状（凹状）のもの（例えば特許文献２）が知られている。
【０００３】
【特許文献１】実用新案登録第２５９５８０６号公報
【特許文献２】実用新案登録第２５９６０６７号公報
【考案の開示】
【考案が解決しようとする課題】
【０００４】
前記球状のペン先シール部材は、ペン先先端の密接没入状態で長期間保管されると、ペン先先端が没入された部分に、クリープ変形により窪みが生じる。そのため、ペン先先端の密接時の弾性変形により生じる反発力が著しく低下し、ペン先先端との密接が不十分となるおそれがある。さらに、前記球状のペン先シール部材は、ペン先先端の没入量のわずかの違いにより、その反発力が大きくばらつき、ペン先先端との密接が不十分となり、シール不良が発生する場合がある。前記ペン先のシール不良が発生した場合、ペン先からのインキの蒸発によって筆跡の掠れや筆記不能が生じる。
【０００５】
前記従来のカップ状のペン先シール部材は、ペン先先端の密接部分が、球状のものに比べ薄肉であるため、インキ蒸気が透過しやすく、ペン先からのインキの蒸発を十分に防止できないおそれがある。さらに、前記従来のカップ状のペン先シール部材は、カップ状部の頂壁の中央部に適正にペン先先端が密接する場合はよいが、頂壁の中央部から外れた頂壁の周辺部にペン先先端が密接する場合がある。その場合、カップ状部の頂壁の周辺部は薄肉であるため、十分なインキ蒸発防止がなしえないおそれがある。
【０００６】
本考案は、前記従来の問題点を解決するものであって、ペン先先端との密接部分のクリープ変形を抑えて、ペン先先端との適正な密接状態を維持でき、しかも、ペン先先端との密接部分に十分な肉厚を備えることにより、ペン先からのインキ蒸発を確実に防止できるペン先シール部材を提供しようとするものである。
【課題を解決するための手段】
【０００７】
（構成１）
本考案は、筆記具のキャップ５内に配置される弾性材料からなるペン先シール部材１であって、ペン先６１先端が密接可能な凹状内面を有するカップ状部２と、前記カップ状部２の後端と一体に連設される筒状支持部３とを備え、前記カップ状部２が、頂壁２１と、該頂壁２１の中央部から後方に向かうに従って次第に薄肉に形成される周壁２２とを有し、前記頂壁２１の中央部の最大肉厚を１ｍｍよりも大きく設定したこと（構成１）を要件とする。
【０００８】
（構成２）
また、本考案は、筆記具のキャップ５内に配置される弾性材料からなるペン先シール部材１であって、ペン先６１先端が密接可能な凹状内面を有するカップ状部２と、前記カップ状部２の後端と一体に連設される筒状支持部３とを備え、前記カップ状部２が、頂壁２１と、該頂壁２１の中央部から後方に向かうに従って次第に薄肉に形成される周壁２２とを有し、前記頂壁２１外面を曲面状にし、前記頂壁２１外面の中央部の曲率半径ｒ１を前記頂壁２１外面の周辺部の曲率半径ｒ２よりも大きく設定したこと（構成２）を要件とする。
【０００９】
（構成３）
さらに、本考案は、筆記具のキャップ５内に配置される弾性材料からなるペン先シール部材１であって、ペン先６１先端が密接可能な凹状内面を有するカップ状部２と、前記カップ状部２の後端と一体に連設される筒状支持部３とを備え、前記カップ状部２が、頂壁２１と、該頂壁２１の中央部から後方に向かうに従って次第に薄肉に形成される周壁２２とを有し、前記頂壁２１の中央部の最大肉厚を１ｍｍよりも大きく設定し、前記頂壁２１外面を曲面状にし、前記頂壁２１外面の中央部の曲率半径ｒ１を前記頂壁２１外面の周辺部の曲率半径ｒ２よりも大きく設定したこと（構成３）を要件とする。
【００１０】
（本考案の作用）
筆記具本体のペン先６１側にキャップ５を装着すると、ペン先６１の先端が、キャップ５内のペン先シール部材１のカップ状部２の頂壁２１の中央部に密接する。本考案は、ペン先６１が密接する頂壁２１の中央部の最大肉厚Ａを１ｍｍよりも大きく設定したことにより、ペン先６１からのインキ蒸気（即ちインキ中の揮発した溶媒成分）が透過すること（即ちペン先６１からのインキ蒸発）を十分に防止でき、キャップ装着状態で長期間保管しても筆記不能となるおそれがない。
【００１１】
また、カップ状部２の頂壁２１の外面を曲面状に形成するとともに、頂壁２１外面の中央部の曲率半径ｒ１を頂壁２１外面の周辺部の曲率半径ｒ２よりも大きく設定したことにより、カップ状部２の頂壁２１の肉厚を、頂壁２１の中央部から頂壁２１の周辺部にかけて、急激に薄くすることなく、できる限り厚肉状態を維持できる。それにより、ペン先６１先端がカップ状部２の頂壁２１の周辺部に密接したとしても、頂壁２１の周辺部も十分な肉厚を有しているため、ペン先６１からのインキ蒸発を十分に防止できる。
【００１２】
また、本考案は、カップ状部２が頂壁２１の中央部から周壁２２後端に向かうに従って次第に薄肉に形成されている。そのため、凹状内面２３を有するカップ状部２にペン先６１先端が密接した際、カップ状部２の周壁２２が伸張変形し、ペン先６１先端は頂壁２１に深く没入されず、確実にペン先６１先端を包み込むようにペン先６１先端がシールされる。それにより、ペン先６１先端の密接状態が長期間維持されても、ペン先６１先端との密接部分の部分的なクリープ変形（窪みの発生）を抑えることができる。その結果、ペン先６１先端が密接した際に弾性変形により生じる反発力が大きく低下することなく、ペン先６１先端との適正な密接状態を維持できる。また、本考案は、カップ状部２の全体が弾性変形するため、ペン先６１先端との没入量（即ちキャップ装着時のペン先６１先端の当接開始からキャップ装着完了までのペン先６１先端の軸方向の移動量）が大きくばらついたとしても、ペン先６１先端の密接により生じる反発力は、ばらつきが小さく抑えられる。
【考案の効果】
【００１３】
請求項１によれば、ペン先からのインキ蒸発を十分に防止でき、キャップ装着状態で長期間保管しても筆記不能となるおそれがない。
【００１４】
請求項２によれば、ペン先からのインキ蒸発を確実に防止でき、キャップ装着状態で長期間保管しても筆記不能となるおそれがない。
【００１５】
請求項３によれば、ペン先からのインキ蒸発を確実に防止でき、キャップ装着状態で長期間保管しても筆記不能となるおそれがない。
【考案を実施するための最良の形態】
【００１６】
図１及び図２に本考案の実施の形態を示す。
【００１７】
本実施の形態のペン先シール部材１は、弾性材料よりなり、筆記具のキャップ５内に配置される。
【００１８】
前記ペン先シール部材１を構成する弾性材料として、例えば、シリコンゴム、エチレン−プロピレンゴム、ブチルゴム等の合成ゴムやエラストマーが挙げられる。
【００１９】
前記ペン先シール部材１は、カップ状部２と筒状支持部３とが接続部４を介して一体に連設された構成である。前記カップ状部２は、内部にすり鉢状の凹状内面２３が形成されている。前記凹状内面２３の中央部は曲面状となっている。尚、前記カップ状部２と前記筒状支持部３とは接続部４を介さずに直接連設されてもよい。
【００２０】
前記カップ状部２は、頂壁２１の頂点から周壁２２の後端に向かうに従って次第に薄肉に形成される。前記頂壁２１の中央部（即ち頂部）の最大肉厚Ａは、１．５ｍｍに設定され、前記周壁２２の後端の最小肉厚Ｂは、０．３ｍｍに設定される。尚、前記頂壁２１の中央部の最大肉厚Ａは、適正なペン先シール性が得られる点で、５ｍｍよりも小さいこと（好ましくは３ｍｍよりも小さいこと）が有効である。もし、前記頂壁２１の中央部の最大肉厚Ａが、５ｍｍ以上であると、凹状内面２３がペン先６１先端を包み込むようにシールすることが困難となるおそれがある。また、前記頂壁２１の中央部の肉厚Ａは、より一層、確実なインキ蒸発防止が可能となる点で、１．２ｍｍよりも大きく設定することが好ましい。
【００２１】
前記カップ状部２は、中央の頂壁２１と、該頂壁２１の周辺に一体に連設される周壁２２とからなる。前記頂壁２１の外面は曲面状に形成される。前記頂壁２１外面の中央部の曲率半径ｒ１は、２．７ｍｍに設定されている。前記頂壁２１外面の周辺部の曲率半径ｒ２は、１．０ｍｍに設定されている。前記頂壁２１外面の中央部と前記頂壁２１外面の周辺部とが連続的に接続される。また、前記凹状内面２３の中央部（即ち頂壁２１内面の中央部）の曲率半径ｒ３は、１．５ｍｍに設定されている。
【００２２】
前記頂壁２１外面の中央部の曲率半径ｒ１は、前記頂壁２１の周辺部の曲率半径ｒ２よりも大きく設定される（即ち、ｒ２＜ｒ１）。それにより、カップ状部２の頂壁２１の肉厚を、頂壁２１の中央部から頂壁２１の周辺部にかけて、急激に薄くすることなく、できる限り厚肉状態を維持できる。その結果、ペン先６１先端がカップ状部２の頂壁２１の周辺部に密接したとしても、頂壁２１の周辺部も十分な肉厚を有しているため、ペン先６１からのインキ蒸発を十分に防止できる。
【００２３】
さらに、前記頂壁２１内面の中央部の曲率半径ｒ３は、前記頂壁２１外面の中央部の曲率半径ｒ１よりも小さく、且つ、前記頂壁２１の周辺部の曲率半径ｒ２よりも大きく設定される(即ち、ｒ２＜ｒ３＜ｒ１)。それにより、前記頂壁２１の中央部から周壁２２の後端に向かうに従って次第に薄肉となる適正な形状のカップ状部２を容易に得る。
【００２４】
前記筒状支持部３は、円筒形状を有する。前記筒状支持部３の中間部内面には、カップ状部２の後端が一体に接続される。前記筒状支持部３の前端の角部外周は曲面状に形成される。それにより、キャップ５内への組み付け時のスムーズな挿入性が得られる。また、前記筒状支持部３の肉厚は、カップ状部２との接続部４よりも前方部分が、カップ状部２との接続部４よりも後方部分に比べ、小さく設定される。それにより、筒状支持部３の外周面の外径が一定の場合において、カップ状部２の周壁２２の後端部外周面と筒状支持部３の内周面との間に十分な隙間を形成でき、周壁２２外面の後端部の適正な形状を容易に得ることができるとともに、ペン先シール部材１を成形するための金型の耐久性が向上する。
【００２５】
図２に前記実施の形態のペン先シール部材１の使用状態を示す。即ち、図２は、前記ペン先シール部材１が内部に取り付けられたキャップ５を、筆記具本体６（例えば先端にボールペンチップを備えたボールペン）のペン先６１側に装着した状態を示す。ペン先シール部材１は、筒状支持部３の前端がキャップ５内面の段部に当接係止されるとともに、筒状支持部３の外周面がキャップ５内面に圧接保持されている。
【図面の簡単な説明】
【００２６】
【図１】本考案ペン先シール部材の実施の形態を示す縦断面図である。
【図２】図１のペン先シール部材を内部に配置したキャップを筆記具本体のペン先側に装着した状態を示す縦断面図である。
【符号の説明】
【００２７】
１  ペン先シール部材
２  カップ状部
２１  頂壁
２２  周壁
２３  凹状内面
３  筒状支持部
４  接続部
５  キャップ
６  筆記具本体
６１  ペン先
ｒ1  頂壁外面の中央部の曲率半径
ｒ２  頂壁外面の周辺部の曲率半径
ｒ３  頂壁内面の中央部の曲率半径
Ａ  頂壁の中央部の最大肉厚
Ｂ  周壁の後端部の最小肉厚
【図１】
0003147231.tif 000003
【図２】
0003147231.tif 000004